(57)【要約】【課題】操作ロッドをビニルハウスから離隔する方向へ傾斜させた場合であっても、高い操作性で操作ロッドを操作することができる巻取機を提供する。【解決手段】底板８の両側面８ｂ，８ｂであって、筐体２の正面側の端部近傍の位置には、長孔９，９が底板８の底面８ａと平行に開設してあり、両長孔９，９内には、底板８を軸支する支持軸１０が摺動自在に貫通させてある。筐体２の両側面２ｂ，２ｂであって、前記長孔９，９に対向する位置には側面２ｂ，２ｂを貫通する第１貫通孔１１，１１が開設してあり、支持軸１０の両端部は対応する第１貫通孔１１，１１内に挿嵌してある。底板８の筐体２の背面２ｃ側の中央位置には、該底板８を貫通する第２貫通孔１２が開設してあり、第２貫通孔１２から円柱状の回転入力軸３の一端部が突出させてある。【選択図】図１
2005145672.tif 000002
【特許請求の範囲】
【請求項１】
回転駆動力が与えられる回転入力軸と、この回転入力軸と交わる方向へ配設され、巻取対象を巻き取る巻取軸が連結される回転出力軸と、前記回転入力軸に与えられた回転駆動力を前記回転出力軸に伝達する伝達手段とを備える巻取機において、
前記回転出力軸の長手方向であって回転出力軸から離隔する方向へ揺動し得るように前記回転入力軸を支持する支持手段を備え、前記伝達手段は、前記回転入力軸が適宜の揺動角度で、回転駆動力を前記回転出力軸に伝達し得るようになしてあることを特徴とする巻取機。
【請求項２】
前記回転出力軸は、底部に開口を設けた筐体の背面部からその一端を突出させてあり、
前記支持手段は、前記開口に内嵌させた板部材と、前記筐体内に架設してあり、前記板部材を筐体の正面部側へ揺動可能に軸支する支持軸とを具備し、
前記回転入力軸は板部材に、回転入力軸の一端を前記板部材から外へ突出させる様態で支持されており、
前記伝達手段は、前記回転入力軸の他端側に外嵌させた第１プーリと、前記回転出力軸の他端側に外嵌させた第２プーリと、第１及び第２プーリに掛け回した環状体とを具備する請求項１記載の巻取機。
【請求項３】
前記板部材の回転出力軸の軸長方向と直交する方向の両側縁部はそれぞれ起立させてあり、両側縁部の起立部分にそれぞれ、板部材が前記開口に内嵌された状態で前記回転出力軸と平行をなすように長孔が開設してあり、前記支持軸は両長孔内を貫通させてある請求項２記載の巻取機。
【請求項４】
前記第１プーリと第２プーリとの間に、前記環状体を案内する筒状の案内部材が介装してある請求項２又は３記載の巻取機。
【請求項５】
前記案内部材の両端近傍の外周面にはそれぞれ、前記環状体を挿入させる案内溝が設けてある請求項４記載の巻取機。
【請求項６】
前記環状体はチェーンで構成してあり、第１プーリ及び第２プーリはそれぞれ、スプロケットで構成してある請求項２から５のいずれかに記載の巻取機。
【発明の詳細な説明】
【技術分野】
【０００１】
この発明は、シート状部材を巻き取るための巻取機に関する。
【背景技術】
【０００２】
農業用のビニルハウスでは、農作物その他、生育させる植物に応じてハウス内の温度や湿度を適切に調整するため、ビニルハウスの屋根部の適宜部分に換気用開口部を設けるとともに、この換気用開口部を開閉自在に被覆するシート材、及び該シート材を巻き取るための巻取機等を備えたハウス換気装置を設けている（例えば、特許文献１を参照。）。
【０００３】
図５は、従来の巻取機の使用様態を説明する説明図であり、図中、１０１は蒲鉾状のビニルハウス１００の屋根部である。屋根部１０１は、複数のアーチ形状の屋根用パイプ１０２，１０２，…を、ビニルハウス１００の長手方向へ適宜の間隔を隔てて立設し、これら屋根用パイプ１０２，１０２，…の上をシート材で覆ってなり、屋根用パイプ１０２，１０２，…はビニルハウス１００の長手方向へ配設した複数条のパイプに連結固定してある。屋根部１０１の相隣るビニルハウス１００との間に形成される谷部１２０に臨む部分には、図示しない換気用開口部が設けてあり、この換気用開口部は、当該換気用開口部より広い開閉用シート材１０５によって被覆してある。開閉用シート材１０５の上縁部は、換気用開口部近傍のパイプに固定具を用いて固定してあり、開閉用シート材１０５の下縁部は、ビニルハウス１００の長手方向へ配した開閉用ロッドに固定具を用いて固定してある。
【０００４】
開閉用ロッドの一端側はビニルハウス１００の正面（妻）から適宜長だけ延出させてあり、この開閉用ロッドの一端に、開閉用シート材１０５を巻き取る巻取機７０が連結固定してある。
【０００５】
巻取機７０は直方体殻形状の筐体７２を備えており、筐体７２の底面中央から、正逆方向の回転駆動力が与えられる回転入力軸７３が、筐体７２の底面と直交するように突出させてある。回転入力軸７３の先端にはユニバーサルジョイント８０の一端が着脱可能に連結してあり、該ユニバーサルジョイント８０の他端には操作ロッド４０の先端が連結してある。そして、操作ロッド４０からユニバーサルジョイント８０を介して縦軸たる回転入力軸７３に与えられた回転駆動は、筐体７２内に配設されたベベルギアを介して横中間軸７４に伝えられる。
【０００６】
一方、筐体７２の背面上部中央からは、前記横中間軸７４の中心軸と同軸上に配設した筒状の回転出力軸の先端部が、筐体７２の背面と直交するように突出させてあり、該回転出力軸に前述した横中間軸７４から回転駆動力が伝えられる。回転出力軸と横中間軸７４とは、回転駆動力を一方向のみへ伝える伝達制限器を介して連結してある。これによって、横中間軸７４に与えられた回転駆動力は回転出力軸に伝えられるが、回転出力軸に与えられた回転駆動力は横中間軸７４に伝えられないようになっている。
【０００７】
この回転出力軸の先端部に、前述した開閉用ロッドの一端部が着脱可能に連結してある。そして、巻取機７０は、回転出力軸の回転駆動によって開閉用ロッドを正逆回転させることによって、開閉用ロッド及び巻取機７０を屋根用パイプ１０２，１０２，…上で、ビニルハウス１００の長手方向と直交する方向へ移動させつつ、開閉用ロッドにて開閉用シート材１０５を巻き取り又は巻き戻らせて、換気用開口部を開閉していた。
【０００８】
ところで、回転入力軸７３の先端に操作ロッド４０の先端を直接連結固定した場合、操作ロッド４０は回転入力軸７３の直下以外の軌道を通ることができないため、当該軌道下に、例えば溝といった障害が存在すると、ユーザは、換気用開口部を開閉するとき、前記障害を回避しつつ操作ロッド４０を操作しなければならず、開閉作業に困難を来たす。しかし、前述した如く、回転入力軸７３の先端に、ユニバーサルジョイント８０を介して操作ロッド４０の先端を連結してあるため、前記軌道下に障害が存在する場合であっても、ユーザは、ユニバーサルジョイント８０によって操作ロッド４０をビニルハウス１００から離隔する方向へ傾斜させることによって、前記障害から離れた位置で操作ロッド４０を操作することができる。
【特許文献１】特開平８−１７２９３３号公報
【発明の開示】
【発明が解決しようとする課題】
【０００９】
しかしながら、このような従来の巻取機にあっては、操作ロッド４０をビニルハウス１００から離隔する方向へ傾斜させることによって、回転入力軸７３と操作ロッド４０とが、互いに姿勢にあるため、ユーザが操作ロッド４０を回転させる際の操作性が低下するという問題があった。
【００１０】
本発明は斯かる事情に鑑みてなされたものであって、操作ロッドをビニルハウスから離隔する方向へ傾斜させた場合であっても、高い操作性で操作ロッドを操作することができる巻取機を提供する。
【課題を解決するための手段】
【００１１】
請求項１記載の本発明は、回転駆動力が与えられる回転入力軸と、この回転入力軸と交わる方向へ配設され、巻取対象を巻き取る巻取軸が連結される回転出力軸と、前記回転入力軸に与えられた回転駆動力を前記回転出力軸に伝達する伝達手段とを備える巻取機において、前記回転出力軸の長手方向であって回転出力軸から離隔する方向へ揺動し得るように前記回転入力軸を支持する支持手段を備え、前記伝達手段は、前記回転入力軸が適宜の揺動角度で、回転駆動力を前記回転出力軸に伝達し得るようになしてあることを特徴とする。
【００１２】
請求項２記載の本発明は、前記回転出力軸は、底部に開口を設けた筐体の背面部からその一端を突出させてあり、前記支持手段は、前記開口に内嵌させた板部材と、前記筐体内に架設してあり、前記板部材を筐体の正面部側へ揺動可能に軸支する支持軸とを具備し、
前記回転入力軸は板部材に、回転入力軸の一端を前記板部材から外へ突出させる様態で支持されており、前記伝達手段は、前記回転入力軸の他端側に外嵌させた第１プーリと、前記回転出力軸の他端側に外嵌させた第２プーリと、第１及び第２プーリに掛け回した環状体とを具備することを特徴とする。
【００１３】
請求項３記載の本発明は、前記板部材の回転出力軸の軸長方向と直交する方向の両側縁部はそれぞれ起立させてあり、両側縁部の起立部分にそれぞれ、板部材が前記開口に内嵌された状態で前記回転出力軸と平行をなすように長孔が開設してあり、前記支持軸は両長孔内を貫通させてあることを特徴とする。
【００１４】
請求項４記載の本発明は、前記第１プーリと第２プーリとの間に、前記環状体を案内する筒状の案内部材が介装してあることを特徴とする。
【００１５】
請求項５記載の本発明は、前記案内部材の両端近傍の外周面にはそれぞれ、前記環状体を挿入させる案内溝が設けてあることを特徴とする。
【００１６】
請求項６記載の本発明は、前記環状体はチェーンで構成してあり、第１プーリ及び第２プーリはそれぞれ、スプロケットで構成してあることを特徴とする。
【発明の効果】
【００１７】
請求項１記載の本発明では、回転駆動力が与えられる回転入力軸と、この回転入力軸と交わる方向へ配設され、巻取対象を巻き取る巻取軸が連結される回転出力軸と、回転入力軸に与えられた回転駆動力を回転出力軸に伝達する伝達手段と、回転出力軸の長手方向であって回転出力軸から離隔する方向へ揺動し得るように回転入力軸を支持する支持手段とを備え、伝達手段は、回転入力軸が適宜の揺動角度で、回転駆動力を回転出力軸に伝達し得るようになしてあるため、回転入力軸に操作ロッドを、両者の中心軸が同軸上になる姿勢で連結させ、この操作ロッドをビニルハウスから離隔する方向へ傾斜させた場合であっても、回転入力軸と操作ロッドとの連結姿勢が維持され、高い操作性で操作ロッドを操作することができる
請求項２記載の本発明では、回転出力軸は、底部に開口を設けた筐体の背面部からその一端を突出させてあり、支持手段は、前記開口に内嵌させた板部材と、筐体内に架設してあり、板部材を筐体の正面部側へ揺動可能に軸支する支持軸とを具備し、回転入力軸は板部材に、回転入力軸の一端を板部材から外へ突出させる様態で支持されており、伝達手段は、回転入力軸の他端側に外嵌させた第１プーリと、前記回転出力軸の他端側に外嵌させた第２プーリと、第１及び第２プーリに掛け回した環状体とを具備するため、比較的簡単な構成で、回転入力軸の揺動と、回転入力軸から回転出力軸への回転駆動力の伝達を実現することができる。なお、環状体をベルトで構成した場合、第１プーリ及び第２プーリは滑車で構成することができる。
【００１８】
請求項３記載の本発明では、板部材の回転出力軸の軸長方向と直交する方向の両側縁部はそれぞれ起立させてあり、両側縁部の起立部分にそれぞれ、板部材が前記開口に内嵌された状態で前記回転出力軸と平行をなすように長孔が開設してあり、支持軸は両長孔内を貫通させてあるため、板部材を揺動させた場合、長孔と支持軸との相対位置を板部材が第２プーリから離隔するように移動させることができる。これによって、板部材を揺動させた場合にも、環状体の張力を保つことができ、板部材がいずれの揺動姿勢にあっても回転駆動力が環状体によって第１プーリから第２プーリに確実に伝えられる。
【００１９】
請求項４記載の本発明では、第１プーリと第２プーリとの間に、環状体を案内する筒状の案内部材が介装してあるため、回転中心軸が互いに交わるように配置された第１プーリ及び第２プーリに掛け回した環状体を、スムーズに回動させることができる。
【００２０】
請求項５記載の本発明では、案内部材の両端近傍の外周面にはそれぞれ、環状体を挿入させる案内溝が設けてあるため、案内溝によって環状体の対向する部分が一定の距離を隔てて確実に案内される。これによって、環状体をよりスムーズに回動させることができる。
【００２１】
請求項６記載の本発明では、環状体はチェーンで構成してあり、第１プーリ及び第２プーリはそれぞれ、スプロケットで構成してあるため、両スプロケットにチェーンが噛合し、第１スプロケットの回転駆動力が第２スプロケットに確実に伝達される。
【発明を実施するための最良の形態】
【００２２】
本発明に係る巻取機は、回転駆動力が与えられる回転入力軸と、この回転入力軸と交わる方向へ配設され、巻取対象を巻き取る巻取軸が連結される回転出力軸と、前記回転入力軸に与えられた回転駆動力を前記回転出力軸に伝達する伝達手段とを備え、前記回転出力軸の長手方向であって回転出力軸から離隔する方向へ揺動し得るように前記回転入力軸を支持手段によって支持してある。そして、伝達手段は、回転入力軸が適宜の揺動角度で、回転駆動力を回転出力軸に伝達し得るようになしてある。
【００２３】
具体的には、回転出力軸は、底部に開口を設けた筐体の背面部からその一端を突出させてあり、支持手段は、前記開口に内嵌させた板部材と、前記筐体内に架設してあり、前記板部材を筐体の正面部側へ揺動可能に軸支する支持軸とで構成する。また、回転入力軸は板部材に、回転入力軸の一端を前記板部材から外へ突出させる様態で支持されており、伝達手段は、回転入力軸の他端側に外嵌させた第１プーリと、前記回転出力軸の他端側に外嵌させた第２プーリと、第１及び第２プーリに掛け回した環状体とで構成する。例えば、環状体をベルトで構成した場合、第１プーリ及び第２プーリは滑車で構成することができる。
【００２４】
前述した板部材は、回転出力軸の軸長方向と直交する方向の両側縁部をそれぞれ起立させてあり、両側縁部の起立部分にそれぞれ、板部材が前記開口に内嵌された状態で回転出力軸と平行をなすように長孔が開設してあり、支持軸は両長孔内を貫通させてある。
【００２５】
また、第１プーリと第２プーリとの間に、環状体を案内する筒状の案内部材を介装しておく。
【００２６】
更に、この案内部材の両端近傍の外周面にはそれぞれ、環状体を挿入させる案内溝を設けておく。
【００２７】
ところで、前述した環状体はチェーンで構成することができ、第１プーリ及び第２プーリはそれぞれ、スプロケットで構成することができる。
以下、本発明の一実施例について、図面を参照して詳細に説明する。
【実施例１】
【００２８】
図３は、本発明に係る巻取機の使用様態を説明する説明図であり、図中、１０１は蒲鉾状のビニルハウス１００の屋根部である。屋根部１０１は、複数のアーチ形状の屋根用パイプ１０２，１０２，…を、ビニルハウス１００の長手方向へ適宜の間隔を隔てて立設し、これら屋根用パイプ１０２，１０２，…の上をシート材で覆ってなり、屋根用パイプ１０２，１０２，…はビニルハウス１００の長手方向へ配設した複数条のパイプに連結固定してある。屋根部１０１の相隣るビニルハウス１００との間に形成される谷部１２０に臨む部分には、後述する換気用開口部が設けてあり、この換気用開口部は、当該換気用開口部より広い開閉用シート材１０５によって被覆してある。開閉用シート材１０５の上縁部は、換気用開口部近傍のパイプに固定具を用いて固定してあり、開閉用シート材１０５の下縁部は、ビニルハウス１００の長手方向へ配した開閉用ロッドに固定具を用いて固定してある。
【００２９】
開閉用ロッドの一端側はビニルハウス１００の正面（妻）から適宜長だけ延出させてあり、この開閉用ロッドの一端は、開閉用シート材１０５を巻き取る巻取機１の筐体２背面から突出させた回転出力軸に連結固定してある。巻取機１には、後述する如く、前記回転出力軸に回転駆動力を伝える回転入力軸３が設けてある。この回転入力軸３の先端部は筐体２に設けた底板から突出させてあり、該回転入力軸３の先端には操作ロッド４０の先端が着脱可能に連結してある。そして、ユーザが操作ロッド４０を正逆回転すると、これに連結した巻取機１の回転入力軸３の回転駆動力は回転出力軸に伝えられ、回転出力軸の回転駆動によって開閉用ロッドが正逆回転されて、開閉用ロッド及び巻取機１が、屋根用パイプ１０２，１０２，…上でビニルハウス１００の長手方向と直交する方向へ移動しつつ、開閉用ロッドに開閉用シート材１０５を巻き取らせ又は開閉用ロッドから開閉用シート材１０５を巻き戻させ、換気用開口部を開閉する。
【００３０】
図１は、本発明に係る巻取機の側断面図であり、図２は、図１に示した巻取機のＩＩ−ＩＩ線による断面図である。図１及び図２に示した如く、巻取機１は無底横長直方体殻形状の筐体２を備えており、該筐体２の底部開口には正面視略Ｕ字形の底板（板部材）８が後述する支持軸１０回りに揺動することによって開閉可能に配設してある。
【００３１】
この底板８の両側面８ｂ，８ｂであって、筐体２の正面側の端部近傍の位置には、長円状の長孔９，９がそれぞれ底板８の底面８ａと平行に、即ち底板８が閉状態のときに後述する回転出力軸７と平行に開設してあり、両長孔９，９内には、底板８を軸支する支持軸１０が長孔９，９の長手方向へ摺動自在に貫通させてある。また、筐体２の両側面２ｂ，２ｂであって、前記長孔９，９に対向する位置には側面２ｂ，２ｂを貫通する第１貫通孔１１，１１が、底板８が閉状態のときに前記支持軸１０が長孔９，９の背面２ｃ側端に位置するように開設してあり、支持軸１０の両端部は対応する第１貫通孔１１，１１内に挿嵌してある。
【００３２】
前記底板８の筐体２の背面２ｃ側の中央位置には、該底板８を貫通する第２貫通孔１２が開設してあり、第２貫通孔１２から円柱状の回転入力軸３の一端部が突出させてある。この回転入力軸３の筐体２内へ延出した他端近傍の部分には、掛け回し溝内に外歯を設けてなる駆動スプロケット（第１プーリ）３０が外嵌固定してあり、該駆動スプロケット３０は倒立Ｕ字状のブラケット２０で覆ってある。ブラケット２０は複数のボルト２１，２１，…及びナット２２，２２，…によって底板８に固定してあり、回転入力軸３の駆動スプロケット３０から延出した端部は、ブラケット２０を貫通させてある。
【００３３】
一方、筐体２の正面２ａ上部中央には、該正面２ａを貫通する第３貫通孔１３が開設してあり、該第３貫通孔１３には、回転入力軸３からの回転駆動力を回転出力軸７に伝える横中間軸４の一端が貫通させてある。横中間軸４の一端近傍の位置には、駆動スプロケット３０と同様の受動スプロケット（第２プーリ）３１が外嵌固定してあり、駆動スプロケット３０及び受動スプロケット３１には環状のチェーン（環状体）３２が、両スプロケット３０，３１の外歯にそれぞれ噛合するように掛け回してある。
【００３４】
ところで、前述した支持軸１０の底板８の両側面８ｂ，８ｂの間の部分には、前記チェーン３２の姿勢を縦横に変更させる円筒状の案内部材１５が回転自在に外嵌してある。この案内部材１５の両端近傍の外周面には、チェーン３２の幅寸法より少し大きい幅寸法の案内溝１５ａ，１５ａが、案内部材１５の全周に渡って設けてあり、両案内溝１５ａ，１５ａ内にチェーン３２の対向する部分が挿入してある。これによって、回転中心が互いに交わるように配置された駆動スプロケット３０と受動スプロケット３１とに掛け回されたチェーン３２をスムーズに回動させることができる。
【００３５】
筐体２の背面２ｃの横中間軸４に対向する部分には、円筒状の入力軸６及び円柱状の回転出力軸７を同軸上に配設してなり、入力軸６から回転出力軸７へのみ回転駆動力を伝える伝達制限器５が、背面２ｃに開設した第４貫通孔１４から回転出力軸７を筐体２外へ突出させる様態で固定してあり、該伝達制限器５の入力軸６内に前記横中間軸４の他端を内嵌固定して入力軸６と横中間軸４とを連結させてある。
【００３６】
そして、前述した回転入力軸３の先端部に操作ロッド４０を、両者の中心軸が同軸上になるように連結し、また、回転出力軸７の先端部に前述した開閉用ロッド５０を、両者の中心軸が同軸上になるように連結するようになっている。
【００３７】
このような巻取機１にあっては、操作ロッド４０によって回転入力軸３が正逆回転されると、この回転駆動力は、回転入力軸３に固定した駆動スプロケット３０、チェーン３２及び受動スプロケット３１を介して横中間軸４に伝えられ、伝達制限器５にて制限されることなく、回転出力軸７に伝えられる。一方、開閉用ロッド５０から回転出力軸７に与えられた回転駆動力は伝達制限器５にて制限されて横中間軸４に伝えられないため、巻取機１によって開閉用ロッド５０に開閉用シート材を巻き取る途中であっても、開閉用シート材を巻き戻すことなく、その位置を維持することができる。
【００３８】
図４は、図１及び図２に示した巻取機を配設したビニルハウスの模式的部分側面図である。なお、図中、図１から図３の各図に示した部分に対応する部分には同じ番号を付す。図４に示した如く、ビニルハウス１００の屋根部１０１に設けた換気用開口部１０３を開閉する開閉用シート材１０５の下縁部は開閉用ロッド５０に固定してあり、開閉用ロッド５０のビニルハウス１００正面から突出した端部は、巻取機１の背面から突出した回転出力軸７にそれと同軸上に連結固定してある。また、巻取機１の底板８から突出させた回転入力軸３には、操作ロッド４０の先端がそれと同軸上に連結固定してある。
【００３９】
巻取機１は、前述した如く、操作ロッド４０を介して回転入力軸３が正逆回転されると、この回転駆動力が回転出力軸７に伝えられ、回転出力軸７の回転駆動によって開閉用ロッド５０が正逆回転されて、開閉用ロッド５０及び巻取機１が、屋根用パイプ１０２，１０２，…上でビニルハウス１００の長手方向と直交する方向へ移動しつつ、開閉用ロッド５０に開閉用シート材１０５を巻き取らせ又は開閉用ロッド５０から開閉用シート材１０５を巻き戻させて、換気用開口部１０３を開閉する。
【００４０】
このとき、ビニルハウス１００の正面近傍に、例えば側溝２００といった障害が存在する場合、鉛直方向の操作ロッド４０をビニルハウス１００から離隔する方向へ傾斜させることによって、前記障害から離れた位置で操作ロッド４０を操作することができる。本発明に係る巻取機１にあっては、前述した如く、底板８が支持軸１０回りに揺動し得るようになっているため、回転入力軸３と操作ロッド４０とが両者の中心軸が同軸上に連結された姿勢を保ったまま、底板８が揺動して操作ロッド４０を傾斜させることができる。
【００４１】
このように、操作ロッド４０を傾斜させた場合であっても、回転入力軸３と操作ロッド４０と同軸上に連結された姿勢を保っているため、操作ロッド４０によって回転入力軸３をスムーズに正逆回転させることができる。一方、底板８に支持された回転入力軸３に与えられた回転駆動力は、図１及び図２に示した如く駆動スプロケット３０、チェーン３２及び受動スプロケット３１によって回転出力軸７に伝達されるため、底板８が揺動した場合であっても、回転入力軸３から回転駆動力が回転出力軸７へスムーズに伝達される。これによって、操作ロッド４０をビニルハウス１００から離隔する方向へ傾斜させた場合であっても、高い操作性で操作ロッド４０を操作することができる。
【００４２】
一方、操作ロッド４０によって巻取機１の底板８を開方向へ揺動させるにつれて、底板８が、長孔９（９）内の支持軸１０が長孔９（９）の正面側端へ移動するようにずれるため、チェーン３２に作用する張力が維持され、底板８がいずれの揺動姿勢にあっても、回転駆動力がチェーン３２によって駆動スプロケット３０から受動スプロケット３１（いずれも図１及び図２参照）に確実に伝えられる。
【００４３】
なお、本実施例では、巻取機を換気用開口を開閉する開閉用シート材に適用した場合について説明したが、本発明はこれに限らず、シート材からなる内張りカーテンの開閉、遮光シート、カーテン用シートまたは防虫用シート等の展張、開口部の開閉用に適用し得ることはいうまでもない。
【００４４】
また、本実施例では、ビニルハウス１００の屋根部１０１に設けた換気用開口１０３を開閉する開閉用シート材１０５の巻取りに適用した場合について説明したが、本発明はこれに限らず、ビニルハウス１００の屋根部１０１から側部にわたる肩部に設けた換気用開口を開閉する開閉用シート材、及びビニルハウス１００の側部の高所領域に設けた換気用開口を開閉する開閉用シート材の巻取りにも適用し得ることはいうまでもない。
【００４５】
一方、本実施例では、蒲鉾形のビニルハウス１００に適用した場合について説明したが、本発明はこれに限らず、張り出し形（所謂、静岡形）のビニルハウスにも好適に使用できる。即ち、張り出し形のビニルハウスの側部であって、当該側部から張り出した張出部の上部に換気用開口が設けてある場合、巻取機１の回転連結軸３に連結した操作ロッド４０（いずれも図１参照）は、張出部を回避するように、鉛直方向からこれと交わる方向へ傾斜させなければならないが、前述した如く、回転連結軸３と操作ロッド４０とが同軸上に連結した姿勢のまま、操作ロッド４０を傾斜させることができるため、高い操作性で操作ロッド４０を回転操作することができる。
【図面の簡単な説明】
【００４６】
【図１】本発明に係る巻取機の側断面図である。
【図２】図１に示した巻取機のＩＩ−ＩＩ線による断面図である。
【図３】本発明に係る巻取機の使用様態を説明する説明図である。
【図４】図１及び図２に示した巻取機を配設したビニルハウスの模式的部分側断面図である。
【図５】従来の巻取機の使用様態を説明する説明図である。
【符号の説明】
【００４７】
１      巻取機
２      筐体
２ａ    正面
２ｂ    側面
２ｃ    背面
３      回転入力軸
４      横中間軸
５      伝達制限器
６      入力軸
７      回転出力軸
８      底板
８ａ    底面
８ｂ    側面
９      長孔
１０      支持軸
１５      案内部材
１５ａ    案内溝
２０      ブラケット
３０      駆動スプロケット
３１      受動スプロケット
３２      チェーン
４０      操作ロッド
５０      開閉用ロッド
１０１    屋根部
１０２    屋根用パイプ
１０３    換気用開口部
１０５    開閉用シート材
２００    側溝
【図１】
2005145672.tif 000003
【図２】
2005145672.tif 000004
【図３】
2005145672.tif 000005
【図４】
2005145672.tif 000006
【図５】
2005145672.tif 000007